(57)【特許請求の範囲】
【請求項１】
原稿に印刷、埋設又は貼付された識別情報を検出し、該識別情報に応じて前記原稿を読み取って生成した画像データの漏洩防止制御を実行する画像処理装置において、
ユーザが操作する操作部と、
前記画像データを出力する複数の出力手段と、
前記識別情報に対応づけて、前記複数の出力手段毎に出力禁止を含む漏洩を防止するための制御方法を記憶した制御テーブル記憶手段と、
前記識別情報に基づき前記制御テーブル記憶手段から読み出した前記複数の出力手段毎の前記制御方法を表示装置に表示する制御方法表示手段と、
前記制御方法と共に表示された前記複数の出力手段のうち前記操作部により選択された前記出力手段の選択情報を取得する出力選択取得手段と、を有し、
前記出力選択取得手段が取得した前記選択情報にて指定される前記出力手段が前記画像データを出力する、
を有することを特徴とする画像処理装置。
【請求項２】
前記画像データを記憶する画像記憶部と、
前記画像記憶部に格納された前記画像データを変倍処理する画像変倍手段と、を有し、
前記制御方法表示手段は、前記制御方法と共に、変倍処理された前記画像データの画像を前記表示装置に表示する、
ことを特徴とする請求項１記載の画像処理装置。
【請求項３】
前記原稿のページ毎に検出された前記識別情報を記憶する識別情報記憶部を有し、
前記制御方法表示手段は、前記識別情報に基づき前記制御テーブル記憶部から抽出した、複数の所定ページ数の前記制御方法を前記表示装置に一覧表示する、
ことを特徴とする請求項１記載の画像処理装置。
【請求項４】
前記制御方法表示手段は、前記原稿の全ページの前記制御方法を前記表示装置に一覧表示する、
ことを特徴とする請求項３記載の画像処理装置。
【請求項５】
前記画像データを記憶する画像記憶部と、
前記画像記憶部に記憶された前記画像データを変倍処理する画像変倍手段と、を有し、
前記制御方法表示手段は、複数の所定ページ数の前記制御方法及び変倍処理された前記画像データの画像を前記表示装置に一覧表示する、
ことを特徴とする請求項３記載の画像処理装置。
【請求項６】
前記出力選択取得手段は、前記原稿のページ毎に前記出力手段の前記選択情報を取得する、ことを特徴とする請求項１記載の画像処理装置。
【請求項７】
前記画像データの宛先情報を記憶した宛先情報記憶手段、を有し、
前記画像データの出力に前記宛先情報の設定が必要な前記出力手段が選択された場合、前記出力選択取得手段は、前記宛先情報毎に送信の有無を取得する、
ことを特徴とする請求項１又は６記載の画像処理装置。
【請求項８】
前記画像データを出力手段から出力した場合、
出力した前記出力手段及び日時等が記録された出力記録ログを出力記録ログ記憶手段に記憶させる出力記録手段を有する、
ことを特徴とする請求項１〜７いずれか１項記載の画像処理装置。
【請求項９】
前記画像データを用紙に印刷するプロッタ装置と、
請求項１〜８いずれか１項に記載の画像処理装置と、
を有することを特徴とする画像形成装置。
【請求項１０】
ユーザが操作する操作部と、画像データを出力する複数の出力手段を有し、
原稿に印刷、埋設又は貼付された識別情報を検出し、該識別情報に応じて前記原稿を読み取って生成した画像データの漏洩防止制御を実行する画像処理装置の画像処理方法において、
前記識別情報に対応づけて、前記複数の出力手段毎に出力禁止を含む漏洩を防止するための制御方法を記憶した制御テーブル記憶手段から、制御方法表示手段が、前記識別情報に基づき読み出した前記複数の出力手段毎の前記制御方法を表示装置に表示するステップと、
出力選択取得手段が、前記制御方法と共に表示された前記複数の出力手段のうち前記操作部により選択された前記出力手段の選択情報を取得するステップと、
前記出力選択取得手段が取得した前記選択情報にて指定される前記出力手段が前記画像データを出力するステップと、
を有することを特徴とする画像処理方法。
【請求項１１】
ユーザが操作する操作部と、画像データを出力する複数の出力手段を有し、
原稿に印刷、埋設又は貼付された識別情報を検出し、該識別情報に応じて前記原稿を読み取って生成した画像データの漏洩防止制御を実行する画像処理装置のコンピュータに、
前記識別情報に対応づけて、前記複数の出力手段毎に出力禁止を含む漏洩を防止するための制御方法を記憶した制御テーブル記憶手段から、前記識別情報に基づき読み出した前記複数の出力手段毎の前記制御方法を表示装置に表示するステップと、
前記制御方法と共に表示された前記複数の出力手段のうち前記操作部により選択された前記出力手段の選択情報を取得する出力選択取得ステップと、
前記出力選択取得ステップにより取得された前記選択情報にて指定される前記出力手段が前記画像データを出力するステップと、
を実行させるプログラム。
【発明の詳細な説明】
【技術分野】
【０００１】
本発明は、原稿の制御コードを検出して該制御コードに応じた処理を行う画像処理装置等に関し、特に、制御コードに対応する制御方法を表示する画像処理装置、画像形成装置、画像処理方法及びプログラムに関する。
【背景技術】
【０００２】
文書に記載された情報が複写されたりスキャンされたりして外部に流出する情報漏洩を防止するため、情報漏洩を防止する技術が提案されている。その技術の１つに、画像に制御コードを埋め込む技術が知られており、複写機は制御コードを読み取ると制御コードに対応した漏洩防止制御、例えば、複写を防止したり、メールを暗号化することができるようになっている。
【０００３】
また、制御コードを埋め込んだ権限者がその原稿の複写が試みられたことを把握しておくことで漏洩防止が容易になるため、制御コードが埋め込まれた原稿が複写等された場合にユーザに通知する画像形成装置が提案されている（例えば、特許文献１参照。）。特許文献１記載の画像形成装置は、文書から読み取った画像データの地紋パターンを検出して、所定の地紋パターンと比較し、画像データの地紋パターンに対応した通知先に複写された旨を通知する。
【特許文献１】特開２００６−３３３０１５号公報
【発明の開示】
【発明が解決しようとする課題】
【０００４】
ところで、権限のない第三者が複写等を試みて複写できない場合は、どのような制御コードのため複写できないのかなどの理由がわからなくてもよいが、機密文書の扱いを許可されたユーザが制御コードにより生じる制御方法を知るすべがないのではユーザが戸惑うことになり好ましくない。すなわち、制御コードの種類は多数あるため、特許文献１のように単に制御コードの埋め込まれた原稿が複写されようとしたことを通知するだけでは、どのような制御コードが埋め込まれているかを把握しきれないという問題がある。
【０００５】
本発明は、上記課題に鑑み、原稿に埋め込まれた制御コードに対応した制御方法をユーザに通知する画像処理装置、画像形成装置、画像処理方法及びプログラムを提供することを目的とする。
【課題を解決するための手段】
【０００６】
上記課題に鑑み、本発明は、原稿に印刷、埋設又は貼付された識別情報を検出し、該識別情報に応じて前記原稿を読み取って生成した画像データの漏洩防止制御を実行する画像処理装置において、ユーザが操作する操作部と、前記画像データを出力する複数の出力手段と、前記識別情報に対応づけて、前記複数の出力手段毎に出力禁止を含む漏洩を防止するための制御方法を記憶した制御テーブル記憶手段と、前記識別情報に基づき前記制御テーブル記憶手段から読み出した前記複数の出力手段毎の前記制御方法を表示装置に表示する制御方法表示手段と、前記制御方法と共に表示された前記複数の出力手段のうち前記操作部により選択された前記出力手段の選択情報を取得する出力選択取得手段と、を有し、前記出力選択取得手段が取得した前記選択情報にて指定される前記出力手段が前記画像データを出力する、を有することを特徴とする。
【０００７】
本発明によれば、原稿に埋め込まれた様々な制御コードの内容（制御方法）を表示することで、利便性を向上させることができる。
【０００８】
また、本発明の一形態において、画像データを記憶する画像記憶部と、画像記憶部に格納された画像データを変倍処理する画像変倍手段と、を有し、制御方法表示手段は、制御方法と共に、変倍処理された画像データの画像を表装置に表示する、ことを特徴とする。
【０００９】
本発明によれば、制御方法と同時に原稿の画像を表示するので、原稿と制御コードの対比、確認ができ、利便性を向上させることができる。
【００１０】
また、本発明の一形態において、原稿のページ毎に検出された識別情報を記憶する識別情報記憶部を有し、制御方法表示手段は、識別情報に基づき制御テーブル記憶部から抽出した、複数の所定ページ数の制御方法を表示装置に一覧表示する、ことを特徴とする。
【００１１】
本発明によれば、一度に複数ページの制御方法を表示することで、ページ送り等の操作を省略してページ間の識別情報の違いが確認できるので、利便性を向上させることができる。
【００１２】
また、本発明の一形態において、制御方法表示手段は、原稿の全ページの制御方法を表示装置に一覧表示する、ことを特徴とする。
【００１３】
本発明によれば、一度に全ページの制御方法を表示することで、ページ送り等の操作を省略してページ間の制御コードの違いが確認できるので、利便性を向上させることができる。
【００１４】
また、本発明の一形態において、画像データを記憶する画像記憶部と、画像記憶部に記憶された画像データを変倍処理する画像変倍手段と、を有し、制御方法表示手段は、複数の所定ページ数の制御方法及び変倍処理された画像データの画像を表示装置に一覧表示する、ことを特徴とする。
【００１５】
本発明によれば、複数ページの画像と制御方法を同時にサムネイル表示することで、複数ページの原稿と制御コードの対比、確認でき、利便性を向上させることができる。
【００１７】
また、本発明の一形態において、出力選択取得手段は、原稿のページ毎に出力手段の選択情報を取得する、ことを特徴とする。
【００１８】
本発明によれば、出力時に一部のページが塗りつぶされてしまうという場合は、該ページを選択しないことができるので、トナーの無駄を防止し、操作に柔軟性を持たせ利便性を向上させることができる。
【００１９】
また、本発明の一形態において、画像データの宛先情報を記憶した宛先情報記憶手段、を有し、画像データの出力に宛先情報の設定が必要な出力手段が選択された場合、出力選択取得手段は、宛先情報毎に送信の有無を取得する、ことを特徴とする。
【００２０】
本発明によれば、例えばメール送信やFAX送信のように宛先がある場合、宛先ごとに送信する、送信しないを選択できるので、利便性を向上させることができる。
【００２１】
また、本発明の一形態において、画像データを出力手段から出力した場合、出力した出力手段及び日時等が記録された出力記録ログを出力記録ログ記憶手段に記憶させる出力記録手段を有する、ことを特徴とする。
【００２２】
本発明によれば、出力記録をログとして記録することで、後で原稿の扱いを容易に確認でき、利便性を向上させることができる。
【発明の効果】
【００２３】
原稿に埋め込まれた制御コードに対応した制御方法をユーザに通知する画像処理装置、画像形成装置、画像処理方法及びプログラムを提供することができる。
【発明を実施するための最良の形態】
【００２４】
以下、本発明を実施するための最良の形態について図面を参照しながら、実施の形態に沿って説明する。
【００２５】
〔第１の実施形態〕
図1は、画像処理装置１００のシステム構成を示すブロック図である。画像処理装置１００は、例えば、複写機、スキャナ装置、ファクシミリ、及び、これらの機能を搭載したＭＦＰ（Multi  Function  Printer）等である。
【００２６】
画像処理装置１００が読み取る原稿の画像には、様々な制御コードが印刷等により埋め込まれている。画像処理装置１００は、制御コードに応じた情報漏洩防止制御、例えば、不正にコピーされないように画像を黒く塗りつぶしたり、メール送信の画像を印刷不可にしたりすることができる。これにより、原稿が複写されたりメールで送信されて外部に漏洩することを防止できる。本実施形態の画像処理装置１００は、原稿のページ毎に埋め込まれた様々な制御コードの内容をオペレータに表示することで、埋め込まれた制御コードの確認を容易にし、画像処理装置１００の利便性を向上させることができる。
【００２７】
＜画像処理装置１００の構成＞
画像処理装置１００は、原稿を読み取るスキャナ装置１１、原稿のセットを検知する原稿センサ１２、画像を形成して用紙に印刷するプロッタ装置１３、画像データを圧縮伸張する符号化複合化部１４、制御コードの内容を表示すると共にタッチパネルやキーボードを介しユーザによる操作を入力する操作表示部１５、データベースを検索するデータベース検索手段１６、原稿から読み取られたり受信した画像データを記憶しておく画像格納部１７ａ、検知された制御コードを記憶する制御コード記憶部１７ｂ、登録された電子メールのアドレスやＦＡＸ番号、ＩＰアドレス等を宛先毎に記憶したアドレス帳１８、ファックス番号等で指定された相手に接続するよう網制御部２１を制御する通信制御部１９、回線に接続して発呼・着呼を行う網制御部２１、ＬＡＮに接続され電子メールを送受信するためのプロトコル処理やアドレスを指定する電子メール制御部２２、記憶媒体３２を装着し情報を読み書きするメモリカード装着部３１、画像処理装置１００全体を制御するシステム制御部２３を有するように構成される。
【００２８】
スキャナ装置１１は、光学的に画像を読み取る装置であり、例えば、画像処理装置１００に固定されたコンタクトガラスに載置された原稿を、光源により照明し原稿からの反射光を、光学系を通してＣＣＤ等の光電変換素子に結像させる。光電変換素子により変換された電気信号は、相関二重サンプリング回路によるノイズ低減処理、オートゲインコントロール回路によるゲイン調整処理を施された後、アナログ・デジタル変換回路でデジタル信号（以下、画像データという）に変換される。
【００２９】
スキャナ装置１１が読み取った画像データは、画像蓄積手段２６が画像格納部１７ａに記憶させる。原稿が複数ページからなる場合、画像蓄積手段２６は例えば読み取り順に連番を付して画像データを記憶していく。
【００３０】
また、プロッタ装置１３は、電子写真方式により画像データを用紙上に形成する装置であり、例えば、帯電された感光体の表面に画像データに応じて光変調したレーザ光を照射して露光する。静電気力により露光部にトナーが移動するので、トナー像を転写部で用紙に転写し、熱と圧力の作用によって用紙の表面に転写されたトナー像を定着させる。形成される画像データは、例えば、スキャナ装置１１で読み取った原稿の画像データ、通信制御部１９が受信し符号化複合化部１４が複合化したファクシミリの画像データ等である。
【００３１】
システム制御部２３は、ＣＰＵ、ＲＯＭ、ＲＡＭ、ＨＤＤ、ＮＶ−ＲＡＭ、データ入出力インターフェイス等が内部バスで接続されたコンピュータとして構成される。システム制御部２３のＣＰＵが、ＨＤＤ、ＲＯＭ又はＮＶ−ＲＡＭ（以下、単にメモリという）に記憶されたプログラム２０を実行することで制御コード検知手段２４、制御コード解析手段２５、画像蓄積手段２６、画像加工手段２７及び制御方法表示手段２８が実現される。
【００３２】
制御コード検知手段２４は画像データから制御コードを検知し、制御コード解析手段２５は検知した制御コードが意味する制御方法を解析し、画像蓄積手段２６はスキャナ装置１１で読み取られた画像データ、通信制御部１９が受信した画像データ、電子メール制御部２２が受信した画像データを画像格納部１７ａに蓄積し、画像加工手段２７は画像格納部１７ａに蓄積された画像データを加工する。また、制御方法表示手段２８は、制御コードに基づきメモリに記憶された制御テーブル４３から制御方法を抽出し、操作表示部１５に表示する。
【００３３】
なお、プログラム２０は、メモリカードや光ディスクの記憶媒体３２に記憶された状態で配布されメモリカード装着部３１からシステム制御部２３にインストールされてもよいし、ＬＡＮを介して所定のサーバからダウンロードしてシステム制御部２３にインストールされてもよい。
【００３４】
＜制御コードの検知＞
制御コードと画像処理装置１００が実行する制御について説明する。制御コードはページ毎に埋め込まれ得るものであるので、制御コード検知手段２４はページ毎に制御コードの有無を検知し、制御コードが埋め込まれている場合は、制御コード解析手段２５が制御コードの種類を解析し、ページ番号に対応づけて制御コード記憶部１７ｂに記憶していく。
【００３５】
図２（ａ）は、制御コードを記録する予約画素領域４１を示す。予約画素領域４１は主走査方向と副走査方向により定められる所定部に設けられ、予約画素領域４１には画像データの画像から孤立された制御コードが記録されている。予約画素領域４１は、主走査方向と副走査方向のそれぞれに複数個の画素を含む大きさであり、予約画素領域４１に制御コードが記録される。なお、予約画素領域４１は画像データの右下などユーザが意識しにくい領域に設けることが好ましく、また、複数箇所にもうけてもよい。また、画像データをわずかに縮小して画像データと重複しない領域に設けてもよい。
【００３６】
図２（ｂ）は、予約画素領域４１に記録された制御コード４２の一例を示す。制御コード４２は、例えばブロック状に区切られ各ブロックを塗りつぶす／塗りつぶさない、の２値情報により制御コード４２の種類を表す。例えば、塗りつぶしたブロックの配置パターンに制御コード４２を対応づけてもよいし、２次元バーコードのように向きを示す特定の画素列（全て塗りつぶす）を基準にブロック毎の２値情報を組み合わせて制御コード４２の種類を表してもよい。制御コード４２の種類と制御方法を対応づけた制御テーブル４３はメモリに記憶されている。なお、制御コード４２を原稿に印刷するのでなく、制御コードを記憶したＩＣチップを原稿に貼付したり埋設してもよい。
【００３７】
＜情報漏洩防止制御の概略＞
情報漏洩防止制御の概略を説明する。スキャナ装置１１により２値化された画像データはシステム制御部２３に送出される。制御コード検知手段２４は、予め定められた予約画素領域４１を特定すると共に、制御コード４２を検知する。制御コード解析手段２５は、検知された制御コード４２の配置パターンに基づき制御コード４２を例えば０〜２８の数値（以下、制御コードＩＤという）に変換する。そして、画像加工手段２７は制御コードＩＤに基づき制御テーブル４３を参照し制御方法を検出し、例えば画像を塗りつぶしたり、メールを暗号化したり、複写を禁止するなど、情報漏洩を防止する制御を実行する。
【００３８】
＜制御方法＞
図３は、制御コードＩＤに制御方法を対応づけた制御テーブル４３の一例を示す図である。図３では、画像に埋め込まれた制御コードＩＤに対応づけて出力手段ごとに制御方法が登録されている。図３の制御テーブル４３では、出力手段として印刷系、メール送信系、ＦＡＸ送信系、蓄積系（ＤＢＯＸ（Ｄｏｃｕｍｅｎｔ  Ｂｏｘ））が設定されており、「○」は出力の許可を、「×」は出力の不許可を表している。また、許可／不許可を表すだけでなくメール送信系のように、具体的な制御方法を登録しておくことができる。
【００３９】
例えば、制御コードＩＤが「４」の場合、印刷系では出力が許可されるが、メール送信系では出力が許可されていない（メールで送信できない）。なお、「×」（出力不許可）の具体的な制御方法は、ユーザが設定することができる。例えば、制御コードＩＤ「６」が埋め込まれた原稿をメール送信する場合、アドレス帳１８に登録された宛先であれば送信することができる。
【００４０】
図４は、不許可の制御コードＩＤに具体的な制御方法を登録した場合の印刷系の制御テーブル４３の一例を示す。なお、画像処理装置１００の設定は下記のようになっているものとする。
・検知設定：制御コード読み取り  ＯＮ
・出力不許可時の処理：全面を塗りつぶして排紙する/送信しない/蓄積しない
・塗りつぶしパターン：パターン３
図３の制御テーブル４３に示したように、制御コードＩＤが０〜３の場合は出力が不許可であるので、図４では制御コードＩＤが０〜３の場合に「パターン３で塗りつぶす」という制御方法を登録することができる。
【００４１】
また、図３では制御コードＩＤが７〜２８の場合はリザーブ領域となっているが、図４では同様に出力の不許可が設定されていたものとし、「パターン３で塗りつぶす」という制御方法が登録されている。なお、制御コードが検知されなかった場合、制御コードＩＤには未検知を意味する「−１」が割り当てられる。
【００４２】
なお、塗りつぶしパターンはプロッタ装置１３に予め登録されており、パターン番号（ここではパターン３）をプロッタ装置１３に送信することで、プロッタ装置１３がパターン番号に従い用紙（画像データ）を塗りつぶす。例えば、プロッタ装置１３は、画像データをパターン番号に応じた階調と位相に固定化し、原稿の元の画像の判読ができないように画像加工を施す。塗りつぶしパターンを、画像の消去や微少領域毎にランダムに画像を入れ替えたり、関連のない風景画像と置き換える等で構成してもよい。
【００４３】
＜制御方法の表示例＞
本実施形態の画像処理装置１００は、制御方法を操作表示部１５に表示する。制御方法表示手段２８は、制御コード解析手段２５が解析した制御コードＩＤに基づき制御テーブル４３を参照し、制御コードＩＤに対応づけられた制御方法を抽出し、操作表示部１５に表示する。
【００４４】
図５は、操作表示部１５に表示された制御方法の表示画面の一例を示す。表示画面は、原稿のページ番号欄５１、出力手段欄５２、及び、制御方法欄５３の３つの表示欄を有する。ページ番号欄５１は、原稿の読み取り順にスキャナ装置１１が付した連番を表示する欄である。
【００４５】
図５の表示画面は、制御コードＩＤが「５」の場合を示す。このため、「印刷」は「通常動作」と表示され、「メール送信」は「印刷不可」と表示され、「ＦＡＸ送信」は「送信しない」と表示され、「蓄積」は「蓄積しない」と表示されている。
【００４６】
ページ番号欄５１にはページ送りボタン５１ａとページ戻りボタン５１ｂが形成され、ユーザは所望のページに埋め込まれた制御コードの制御方法を確認することができる。
【００４７】
＜システム制御部２３による制御手順＞
図６は、システム制御部２３が制御方法を表示する手順を示すフローチャート図である。画像処理装置１００が起動状態においてユーザが原稿をセットし、操作表示部１５から例えば読み取りを実行するよう操作すると、システム制御部２３は読み取り実行のコマンドを受け取り原稿を読み取る（Ｓ１０）。
【００４８】
システム制御部２３は、制御コード読み取りの検知設定が「ＯＮ」又は「ＯＦＦ」のいずれか判定する（Ｓ２０）。検知設定は予めユーザにより又はデフォルト値に設定されている。
【００４９】
検知設定が「ＯＦＦ」の場合（Ｓ２０のＮｏ）、制御コードを検知することなく画像処理装置１００はユーザの操作内容に従った通常動作を実行する（Ｓ３０）。ユーザが例えば複写操作すれば原稿を複写し、ＦＡＸ送信の操作をすればファクシミリにて送信される。なお、例えば複写の操作により自動的に制御コードを検知してもよい。
【００５０】
検知設定が「ＯＮ」の場合（Ｓ２０のＹｅｓ）、制御コード検知手段２４は制御コードを検知する（Ｓ４０）。スキャナ装置１１は原稿を順に読み取り画像データをシステム制御部２３に送信するので、制御コード４２が原稿に埋め込まれている場合は制御コード検知手段２４が埋め込まれた制御コード４２を検知する。
【００５１】
システム制御部２３は制御コード４２が埋め込まれているか否かを判定し（Ｓ５０）、制御コード４２が埋め込まれていない場合（Ｓ５０のＮｏ）、画像処理装置１００はユーザの操作内容に従った通常動作、例えば原稿を複写する（Ｓ３０）。
【００５２】
制御コード４２が埋め込まれている場合（Ｓ５０のＹｅｓ）、制御方法表示手段２８は制御方法を操作表示部１５に表示する（Ｓ６０）。すなわち、制御コード解析手段２５は制御コード４２の配置パターンに基づき制御コード４２を制御コードＩＤに変換する。そして、制御方法表示手段２８は制御テーブル４３を参照し、制御コードＩＤに対応づけられた制御方法を抽出し、操作表示部１５に表示する。
【００５３】
以上の処理により、操作表示部１５には図５に示すような制御方法の表示画面が表示される。ユーザは埋め込まれた制御方法を見て、どの出力手段でどのような出力方法であれば許可されるかを容易に確認できる。すでに、原稿は読み取られ画像データは画像格納部１７ａに記憶されているので、出力手段を選択するだけで画像データを出力することができる。
〔第２の実施形態〕
本実施形態では、制御方法に加え画像データを表示する画像処理装置１００について説明する。
【００５４】
図７は、本実施形態のシステム制御部２３のブロック図を示す。なお、図７において図１と同一部分には同一の符号を付しその説明は省略する。図７のシステム制御部２３は、読み取られた画像を変倍する画像変倍手段２９、変倍した画像を操作表示部１５に表示する画像表示手段３３、を有する。
【００５５】
画像変倍手段２９は、原稿の縦方向と横方向に対応する画像データの画素を、変倍比率により定まる画素数毎に削除することで所定の比率に縮小する。縮小された縮小画像は原稿のページ番号に対応づけられて画像格納部１７ａに記憶される。そして、画像表示手段３３は、操作表示部１５に縮小画像を表示する。
【００５６】
図８は、操作表示部１５に表示された制御方法及び縮小画像の一例を示す。なお、図８において図５と同一部分には同一の符号を付しその説明は省略する。本実施形態では、制御方法に加え当該ページの縮小画像欄５４が設けられる。したがって、ユーザは、ページ単位で原稿の画像と対比しながら、制御コードの制御方法を確認することができる。
【００５７】
図９は、システム制御部２３が制御方法を縮小画像と共に表示する手順を示すフローチャート図である。なお、図９において図６と同一ステップには同じ符号を付しその説明は省略する。本実施形態では、ページ毎に画像を表示するため、制御コード４２が埋め込まれている場合に画像を変倍するためのステップＳ５１、Ｓ５２が含まれる。
【００５８】
制御コード４２が埋め込まれている場合（Ｓ５０のＹｅｓ）、画像蓄積手段２６は画像データをページ番号に対応づけて画像格納部１７ａに記憶する（Ｓ５１）。画像格納部１７ａに画像データが記憶されると、画像変倍手段２９が画像を縮小するよう画像データに変倍処理を施し縮小画像を画像格納部１７ａに記憶する（Ｓ５２）。
【００５９】
そして、制御方法表示手段２８は制御方法を操作表示部１５に表示するとともに、画像表示手段３３が縮小画像を操作表示部１５の縮小画像欄５４に表示する（Ｓ６１）。
【００６０】
以上の処理により、操作表示部１５には図８に示すような制御方法の表示画面が表示される。したがって、本実施形態によれば、制御方法と同時に、ページの縮小画像を表示することで、原稿の内容と制御方法の対比、確認を容易にし、利便性を向上させることができる。
【００６１】
＜制御方法、縮小画像の一覧表示＞
・制御方法の一覧表示
図８では制御方法と縮小画像の一覧表示が可能であるが、所定ページ数毎に制御方法が一覧できたらページを送る必要がなくユーザにとって便利である。操作表示部１５の表示範囲は有限であるのに対し原稿のページ数の上限は不定であることから、例えば５〜１０ページ分の制御方法を一覧に表示する。本実施形態では、制御方法表示手段２８は例えば１０ページ分の制御方法を表示する所定のフォーマットにて制御方法を表示する。
【００６２】
なお、１０ページ毎のように予め定められたページ数毎に一覧表示するのでなく、原稿の全てのページを一覧表示してもよい。
【００６３】
図１０は、操作表示部１５に一覧表示された制御方法の一例を示す。図１０の表示画面は、１０ページ分の制御方法が、４つの出力手段毎に許可「○」と不許可「×」を対応づけた表形式になっている。このような表示画面によりユーザはページ毎に埋め込まれた制御コード４２の制御方法を一目で把握することができる。なお、原稿が１１ページ以上ある場合は、ページ送りボタン５１ａ等の操作により１１〜２０ページの制御方法を一覧に表示することができる。
【００６４】
図１１は、システム制御部２３が制御方法を一覧表示する手順を示すフローチャート図である。なお、図１１において図９と同一ステップには同じ符号を付しその説明は省略する。図１１では、１０ページ分の制御方法を一覧表示するステップＳ６２を有する点で図９と異なる。
【００６５】
すなわち、制御コード４２が埋め込まれている場合（Ｓ５０のＹｅｓ）、制御方法表示手段２８は所定ページ数の制御方法を一覧にして操作表示部１５に表示する（Ｓ６２）。以上の処理により、操作表示部１５には図１０に示すような制御方法の一覧が表示される。
【００６６】
したがって、ユーザはページ送りボタン５１ａやページ戻りボタン５１ｂを操作することなく各ページの原稿の制御方法を確認することができ、利便性を向上させることができる。
【００６７】
・制御方法及び縮小画像の一覧表示
続いて、制御方法及び縮小画像の一覧表示について説明する。制御方法だけでなく縮小画像を一覧表示することで、ユーザはページ送りすることなく複数ページの制御方法を、原稿の画像と対比させて確認でき利便性が向上する。
【００６８】
このため、画像変倍手段２９は例えば５ページ分の画像を操作表示部１５に表示できるよう、所定の変倍比率にて各ページの画像を縮小する。そして、制御方法表示手段２８は例えば５ページ分の制御方法を表示する所定のフォーマットにて制御方法を表示すると共に、画像表示手段３３は５ページ分の縮小画像を操作表示部１５に一覧で表示する（サムネイル表示）。
【００６９】
なお、５ページ毎のように予め定められたページ数毎に一覧表示するのでなく、原稿の全てのページの制御方法と縮小画像を一覧表示してもよい。この場合、画像変倍手段２９はページ数に応じて画像を縮小する。
【００７０】
図１２は、操作表示部１５に一覧表示された縮小画像と制御方法の一例を示す。操作表示部１５の上段には図１０と同様の複数の制御方法が、下段には複数の縮小画像が共に一つの画面に一覧表示されている。
【００７１】
制御方法と共に各ページの縮小画像が表示されるので、ユーザはページ送りボタン５１ａやページ戻りボタン５１ｂを操作することなく複数ページの原稿の内容と制御方法を同時に確認することができる。
【００７２】
図１３は、システム制御部２３が制御方法及び縮小画像を一覧表示する手順を示すフローチャート図である。なお、図１３において図１１と同一ステップには同じ符号を付しその説明は省略する。図１３では、５ページ分の制御方法と縮小画像を一覧表示するステップＳ６３を有する点で図１１と異なる。
【００７３】
すなわち、制御コード４２が埋め込まれている場合（Ｓ５０のＹｅｓ）、画像格納部１７ａに記憶された画像データに画像変倍手段２９が変倍処理を施し、制御方法表示手段２８は制御方法の一覧を表示し、画像表示手段３３は縮小画像の一覧を操作表示部１５に表示する（Ｓ６３）。以上の処理により、操作表示部１５には図１２に示すような制御方法と縮小画像の一覧が表示される。
【００７４】
なお、本実施形態では、制御方法及び縮小画像を一度に一覧表示したが、制御方法の一覧と縮小画像の一覧を所定の切り替えボタンで切り替えて、それぞれを一覧表示してもよい。
〔第３の実施形態〕
実施形態１及び２では各ページに埋め込まれた制御コード４２の制御方法をユーザに表示したが、ユーザが表示された制御方法に応じて出力手段を選択できれば便利である。本実施形態では、ユーザが出力手段を選択できる画像処理装置１００について説明する。これにより、例えば印刷系は不許可であっても、メール送信系は許可されているような場合に、ユーザは別の手段（メール送信系）で出力することができ、操作性が向上する。
【００７５】
図１４は、本実施形態のシステム制御部２３のブロック図を示す。なお、図１４において図７と同一部分には同一の符号を付しその説明は省略する。図１４のシステム制御部２３は、ユーザが操作表示部１５の操作により選択した出力手段を取得する出力選択取得手段３４を有する。
【００７６】
出力選択取得手段３４は、操作表示部１５に表示された制御方法から、ユーザが操作表示部１５を操作して選択した出力手段を取得する。制御方法の表示画面は、１ページ毎に表示する図５若しくは図８の表示画面、一覧表示する図１０の表示画面、又は、制御方法と縮小画像を一覧表示する図１２の表示画面、のいずれであってもよい。
【００７７】
図１５は、出力手段を選択可能に表示した制御方法の表示画面の一例を示す。ユーザは図１５の表示画面から所望の出力手段を選択することができる。なお、択一でなく複数の出力手段を選択することができる。
【００７８】
例えば、ユーザが「ＦＡＸ送信」を選択した場合、Ｐ．１は「通常動作」（許可）、Ｐ．２は「送信しない」（不許可）、Ｐ．３は「送信しない」（不許可）となっているので、Ｐ．１のみＦＡＸ送信されることになる。
【００７９】
出力選択取得手段３４は操作表示部１５を介してユーザの選択結果を取得するので、システム制御部２３は選択された出力手段（例えば、プロッタ装置１３、通信制御部１９，電子メール制御部２２、画像格納部１７ａ）を制御する。
【００８０】
図１６は、システム制御部２３が制御方法を表示してユーザが選択した所望の出力手段を取得する手順を示すフローチャート図である。なお、図１６において図６と同一ステップには同じ符号を付しその説明は省略する。図１６のフローチャート図は、制御方法を操作表示部１５に表示するまでは第１の実施形態及び第２の実施形態と同じである（Ｓ６０）。
【００８１】
ステップＳ６０までの処理により、図１５に示す表示画面が表示されるので、出力選択取得手段３４は、ユーザが選択した出力手段を取得する（Ｓ７０）。これにより、画像処理装置１００は選択された出力手段のみから画像データを出力することができる。
【００８２】
したがって、表示された制御方法を確認した上でユーザは出力手段を選択できるので、制御方法の表示を有効に活用して操作性を向上させることができる。
【００８３】
＜出力手段のページ毎の選択＞
全てのページに共通に出力手段を選択すると、出力されるページと出力されないページとが存在することとなり好ましくない場合がある。例えば、出力手段として「印刷」が選択された場合、一部のページの出力が不許可であるとそのページは塗りつぶされてしまい、トナーが無駄になってしまう。したがって、ユーザがページごとに出力する／出力しないを選択できれば便利である。
【００８４】
制御方法表示手段２８は図１５と同様に制御方法を表示するが、ユーザはページ毎に出力手段を選択することができる。例えば、ユーザが印刷を選択したい場合、塗りつぶされて出力されるページは必要ないので、Ｐ．１〜Ｐ．３のうち、「印刷」とＰ．１に対応づけられた「通常動作」５６、「印刷」とＰ．２に対応づけられた「通常動作」５７、を選択する。このように選択すれば、出力が許可されたページのみを印刷することができ、トナーの無駄をなくすことができる。
【００８５】
なお、ページ毎に出力手段を変更してもよい。これにより、例えば、所定のページにおいて、メール送信は不許可だが印刷は許可されているような場合に、ページ毎に適切な出力手段を選択することができる。
【００８６】
図１７は、システム制御部２３が制御方法を表示してページ毎に選択された出力手段を取得する手順を示すフローチャート図である。なお、図１７において図１６と同一ステップには同じ符号を付しその説明は省略する。図１７のフローチャート図は、出力選択取得手段３４がページ毎に出力手段を選択するステップＳ７１を有する点で図１６と異なる。
【００８７】
したがって、画像処理装置１００は選択されたページ毎に選択された出力手段を取得して、画像データを出力することができ、制御方法の表示を有効に活用して操作性を向上させることができる。
【００８８】
＜宛先毎の送信設定＞
出力手段には電子メールやファクシミリのように宛先が設定されるものがある。制御コード４２は、宛先に関わらず制御方法を規定するが、例えば出力が許可されたページであれば、さらに宛先毎に「送信する」「送信しない」を選択できれば便利である。
【００８９】
図１８は、操作表示部１５に宛先毎に表示された制御方法の表示画面の一例を示す。メールタグ６１とＦＡＸタグ６２により電子メールとファクシミリのアプリケーションを切り替えて表示することができる。初期状態では宛先１〜Ｎにそれぞれページ毎に同じ制御方法が表示される。なお、宛先はユーザの氏名等であり、宛先毎のメールアドレス及びＦＡＸ番号はアドレス帳１８に記憶されている。
【００９０】
図１８では、各ページの制御方法は下記のようになっている。
Ｐ．１：暗号化して送信
Ｐ．２：アドレス帳１８からのみ宛先指定可能
Ｐ．３：印刷不可にして送信
例えば、宛先２にはＰ．２を送信する必要がなければ、ユーザが「送信しない」（×）に変更することで送信を禁止することができる。
【００９１】
出力選択取得手段３４は操作表示部１５を介してユーザの宛先毎の選択結果を取得するので、システム制御部２３は宛先毎に出力手段（例えば、通信制御部１９，電子メール制御部２２）を制御する。すなわち、メール送信系であれば、宛先毎に送信の有無及び送信する場合は暗号化の有無を制御し、ＦＡＸ送信系であれば、宛先毎に送信の有無を制御する。
【００９２】
図１９は、システム制御部２３が制御方法を表示してユーザが宛先毎に選択した送信の有無を取得する手順を示すフローチャート図である。なお、図１９において図１７と同一ステップには同じ符号を付しその説明は省略する。図１９のフローチャート図は、出力選択取得手段３４が宛先毎に送信の有無を取得するステップＳ７２を有する点で図１７と異なる。
【００９３】
ユーザは、制御方法を確認した上で、ページごとに送信する、送信しないを選択することができるため、利便性を向上させることができる。なお、ユーザのうちでも管理者のように所定の権限が与えられている場合は、「送信しない」を「通常送信」に変更できるようにすることで、さらに利便性が向上する。
【００９４】
〔第４の実施形態〕
第１〜第３の実施形態により情報漏洩に配慮して出力した場合であっても、実際の出力結果を記録しておくことで、後に漏洩元の判明や回収が容易になると考えられる。そこで、本実施形態では出力結果を記録する画像処理装置１００について説明する。
【００９５】
図２０は、本実施形態のシステム制御部２３のブロック図を示す。なお、図２０において図１４と同一構成部分には同一の符号を付しその説明は省略する。図２０のシステム制御部２３は、出力結果を記録する出力記録手段３５を有する。出力記録手段３５は、画像データが出力された場合に出力手段や日時等を記録した出力記録ログ３６をメモリに記憶する。
【００９６】
図２１は、出力記録ログ３６の一例を示す。図２１の出力記録ログ３６は、出力した「日時」、「ユーザＩＤ」、「画像データＩＤ」、「ページ番号」、「出力手段」、「宛先」、「付記」の項目を有し、出力があると出力記録手段３５が各項目を記録する。したがって、いつ、誰が、どの画像データのどのページを、どのように出力したか記録される。なお、画像データＩＤは画像データを識別する識別子であり、画像格納部１７ａに記録する際に自動的に付与される。
【００９７】
図２２は、システム制御部２３が制御方法を表示すると共に、出力結果を記録する手順を示すフローチャート図である。なお、図２２において図１６と同一ステップには同じ符号を付しその説明は省略する。図２２のフローチャート図は、出力記録手段３５が出力結果を記録するステップＳ８０を有する点で図１６と異なる。
【００９８】
本実施形態によれば、ユーザが行った出力操作をページごとに記録することで、出力記録ログ３６から原稿、特に機密文書の出力結果を確認でき、仮に情報漏洩しても漏洩経路の追跡が容易になるので、利便性を向上させることができる。
【００９９】
以上説明したように、本実施形態の画像処理装置１００は、原稿に埋め込まれた制御コードの制御方法を表示することで、どの出力手段でどのような出力方法であれば許可されるかを容易に確認できる。また、出力が許可された出力手段を選択するだけで出力でき、さらに、出力結果を記録することができるので操作性を向上させることができる。
【図面の簡単な説明】
【０１００】
【図１】画像処理装置システム構成を示すブロック図である。
【図２】原稿に印刷された制御コードを説明する説明図である。
【図３】制御コードＩＤに制御方法を対応づけた制御テーブルの一例を示す図である。
【図４】不許可の制御コードＩＤに具体的な制御方法を登録した場合の印刷系の制御テーブルの一例を示す図である。
【図５】操作表示部に表示された制御方法の表示画面の一例を示す図である。
【図６】システム制御部が制御方法を表示する手順を示すフローチャート図である。
【図７】システム制御部のブロック図の一例である（第２の実施形態）。
【図８】操作表示部に表示された制御方法及び縮小画像の一例を示す図である。
【図９】システム制御部が制御方法を縮小画像と共に表示する手順を示すフローチャート図である。
【図１０】操作表示部に一覧表示された制御方法の一例を示す図である。
【図１１】システム制御部が制御方法を一覧表示する手順を示すフローチャート図である。
【図１２】操作表示部に一覧表示された縮小画像と制御方法の一例を示す図である。
【図１３】システム制御部が制御方法及び縮小画像を一覧表示する手順を示すフローチャート図である。
【図１４】システム制御部のブロック図の一例である（第３の実施形態）。
【図１５】出力手段を選択可能に表示した制御方法の表示画面の一例を示す図である。
【図１６】システム制御部が制御方法を表示してユーザが選択した出力手段を取得する手順を示すフローチャート図である。
【図１７】システム制御部が制御方法を表示してユーザがページ毎に選択した出力手段を取得する手順を示すフローチャート図である。
【図１８】宛先毎に表示された制御方法の表示画面の一例を示す図である。
【図１９】システム制御部が制御方法を表示してユーザが宛先毎に選択した送信の有無を取得する手順を示すフローチャート図である。
【図２０】システム制御部のブロック図の一例である（第４の実施形態）。
【図２１】出力記録ログの一例を示す図である。
【図２２】システム制御部が制御方法を表示すると共に、出力結果を記録する手順を示すフローチャート図である。
【符号の説明】
【０１０１】
１１    スキャナ装置
１３    プロッタ装置
１５    操作表示部
１７ａ  画像格納部
１７ｂ  制御コード記憶部
１８    アドレス帳
１９    通信制御部
２０    プログラム
２２    電子メール制御部
２３    システム制御部
２４    制御コード検知手段
２５    制御コード解析手段
２６    画像蓄積手段
２７    画像加工手段
２８    制御方法表示手段
２９    画像変倍手段
３３    画像表示手段
３４    出力選択取得手段
３５    出力記録手段
３６    出力記録ログ
４２    制御コード
４３    制御テーブル
１００  画像処理装置
【図１】
0004976227.tif 000002
【図２】
0004976227.tif 000003
【図３】
0004976227.tif 000004
【図４】
0004976227.tif 000005
【図５】
0004976227.tif 000006
【図６】
0004976227.tif 000007
【図７】
0004976227.tif 000008
【図８】
0004976227.tif 000009
【図９】
0004976227.tif 000010
【図１０】
0004976227.tif 000011
【図１１】
0004976227.tif 000012
【図１２】
0004976227.tif 000013
【図１３】
0004976227.tif 000014
【図１４】
0004976227.tif 000015
【図１５】
0004976227.tif 000016
【図１６】
0004976227.tif 000017
【図１７】
0004976227.tif 000018
【図１８】
0004976227.tif 000019
【図１９】
0004976227.tif 000020
【図２０】
0004976227.tif 000021
【図２１】
0004976227.tif 000022
【図２２】
0004976227.tif 000023